【手続補正書】
【提出日】平成23年5月30日(2011.5.30)
【手続補正１】
【補正対象書類名】明細書
【補正対象項目名】００２４
【補正方法】変更
【補正の内容】
【００２４】
第２チャネルサブ回路に関して、ＤＣ−ＤＣコンバータ２０は、第２チャネル高入力電流センサ１０４と、第２チャネル低入力電流センサと、第２チャネル高出力センサと、第２チャネル低出力センサとを含む。第２チャネル高入力電流センサ１０４は、第２ブースト電力回路８２および第２チャネル高入力電流ポート４４と通信状態にある。このセンサは、燃料電池から出力された高レベル電流を検出し、応答して、アナログ第２チャネル高入力電流信号をＡ−Ｄコンバータ２２に出力する。第２チャネル低入力電流センサ１０６は、第２ブースト電力回路８２および第２チャネル低入力電流ポート４２と通信状態にある。このセンサは、燃料電池から出力された低レベル電流を検出し、応答して、アナログ第２チャネル低範囲入力電流信号をＡ−Ｄコンバータ２２に出力する。第２チャネル高出力電流センサ１０８は、第２ブースト電力回路８２および第２チャネル高出力電流ポート４８と通信状態にある。このセンサは、第２ブースト電力回路８２によって出力された高レベル電流を検出し、応答して、アナログ第２チャネル高出力電流信号をＡ−Ｄコンバータ２２に出力する。第２チャネル低出力電流センサ１１０は、第２ブースト電力回路８２および第２チャネル低出力電流ポート４６と通信状態にある。このセンサは、第２ブースト電力回路８２によって出力された低レベル電流を検出し、応答して、アナログ第２チャネル低出力電流信号をＡ−Ｄコンバータ２２に出力する。
【手続補正２】
【補正対象書類名】明細書
【補正対象項目名】００２８
【補正方法】変更
【補正の内容】
【００２８】
コントローラ・エリア・ネットワーク（ＣＡＮ）モジュールなどの放送通信モジュール６２は、プロセッサモジュール２４と通信状態にある。上記シリアル通信モジュール６０と同様に、放送通信モジュール６２は、第１のリモート設置された入力装置から予め定められた入力および予め定められた出力を受ける。予め定められた入力および出力を受けた後、放送通信モジュール６２は、予め定められた信号をプロセッサモジュール２４に供給する。
【手続補正３】
【補正対象書類名】特許請求の範囲
【補正対象項目名】全文
【補正方法】変更
【補正の内容】
【特許請求の範囲】
【請求項１】
直流−直流（ＤＣ−ＤＣ）電力コンバータであって、
燃料電池信号を受けるように燃料電池の両端間に接続されるよう、かつ複数のアナログ信号を受けるように構成されたアナログ−デジタルコンバータを備え、前記アナログ−デジタルコンバータは、前記燃料電池信号および前記アナログ信号を複数のデジタル信号に変換し、さらに
前記デジタル信号を受けるように接続され、前記デジタル信号に基づいてパルス幅変調信号を出力するプロセッサモジュールと、
前記プロセッサモジュールと接続されて、前記パルス幅変調信号を受け、前記燃料電池の電力と実質的に等しい電力レベルを有するパルス幅が変調された電力信号を出力するためのパルス幅変調モジュールと、
前記パルス幅変調モジュールと接続され、バック電力回路を有し、前記電力信号の前記電力レベルを選択的に調整するバックブースト回路とを備え、
前記プロセッサモジュールは、前記バックブースト回路に接続されて、前記複数のデジタル信号に基づいて前記バックブースト回路を選択的に開始させる、ＤＣ−ＤＣ電力コンバータ。
【請求項２】
前記アナログ−デジタルコンバータは、複数のデジタル電力信号および電流信号に変換される複数のアナログ電力信号および電流信号を受ける複数のポートを含み、前記複数のポートには、複数の第１チャネルポートと、複数の第２チャネルポートと、複数の第３チャネルポートと、電界効果トランジスタ温度信号を受けるように接続可能な電界効果トランジスタ温度ポートと、周囲温度信号を受けるように接続可能な周囲温度ポートと、前記燃料電池から燃料電池入力電圧を受けるように接続可能な燃料電池電圧ポートとが含まれ、
前記複数の第１チャネルポートには、アナログ第１チャネル低入力電流信号を受けるように接続可能な第１チャネル低入力電流ポートと、アナログ第１チャネル高入力電流信号を受けるように接続可能な第１チャネル高入力電流ポートと、アナログ第１チャネル低出力電流信号を受けるように接続可能な第１チャネル低出力電流ポートと、アナログ第１チャネル高出力電流信号を受けるように接続可能な第１チャネル高出力電流ポートと、第１チャネル出力電力信号を受けるように接続可能な第１チャネル出力電力ポートとが含まれ、
前記複数の第２チャネルポートには、アナログ第２チャネル低入力電流信号を受けるように接続可能な第２チャネル低入力電流ポートと、アナログ第２チャネル高入力電流信号を受けるように接続可能な第２チャネル高入力電流ポートと、アナログ第２チャネル低出力電流信号を受けるように接続可能な第２チャネル低出力電流ポートと、アナログ第２チャネル高出力電流信号を受けるように接続可能な第２チャネル高出力電流ポートと、第２チャネル出力電力信号を受けるように接続可能な第２チャネル出力電力ポートとが含まれ、
前記複数の第３チャネルポートには、アナログ第３チャネル入力電流信号を受けるように接続可能な第３チャネル入力電流ポートと、アナログ第３チャネル出力電流信号を受けるように接続可能な第３チャネル出力電流ポートと、第３チャネル出力電力信号を受けるように接続可能な第３チャネル出力電力ポートとが含まれる、請求項１に記載のＤＣ−ＤＣ電力コンバータ。
【請求項３】
前記プロセッサモジュールは、前記複数のデジタル電力および電流信号を受け、第１チャネル選択信号、第２チャネル選択信号、第３チャネル選択信号、およびパルス幅変調信号のうち少なくとも１つを出力する、請求項２に記載のＤＣ−ＤＣ電力コンバータ。
【請求項４】
直流−直流（ＤＣ−ＤＣ）電力コンバータであって、
燃料電池と通信状態にあるための、燃料電池信号および複数のアナログ信号を受けるための、および前記燃料電池信号および前記アナログ信号を複数のデジタル信号に変換するためのアナログ−デジタルコンバータと、
前記デジタル信号を受けるためのおよび前記デジタル信号に基づいてＰＷＭ周波数信号を出力するためのプロセッサモジュールと、
前記プロセッサモジュールと通信状態にあり、前記ＰＷＭ周波数信号を受けるためのおよび前記燃料電池の電力と実質的に等しい電力レベルを有するＰＷＭ電力信号を出力するためのＰＷＭモジュールと、
前記ＰＷＭモジュールと通信状態にあり、バック電力回路を含み、前記ＰＷＭ電力信号の前記電力レベルを調整するためのバックブースト回路とを備え、
前記プロセッサモジュールは、前記バックブースト回路と通信状態にあり、前記複数のデジタル信号に基づいて前記バックブースト回路を選択的に開始させるためのものである、ＤＣ−ＤＣ電力コンバータ。
【請求項５】
前記Ａ−Ｄ電力コンバータは、複数のアナログ電力信号および電流信号を複数のデジタル電力信号および電流信号に変換するための複数のポートをさらに含み、
前記複数のポートには、複数の第１チャネルポートと、複数の第２チャネルポートと、複数の第３チャネルポートと、ＦＥＴ温度信号を受けるためのＦＥＴ温度ポートと、周囲温度信号を受けるための周囲温度ポートと、前記燃料電池から燃料電池入力電圧を受けるための燃料電池電圧ポートとを含み、
前記複数の第１チャネルポートには、アナログ第１チャネル低入力電流信号を受けるための第１チャネル低入力電流ポートと、アナログ第１チャネル高入力電流信号を受けるための第１チャネル高入力電流ポートと、アナログ第１チャネル低出力電流信号を受けるための第１チャネル低出力電流ポートと、アナログ第１チャネル高出力電流信号を受けるための第１チャネル高出力電流ポートと、第１チャネル出力電力信号を受けるための第１チャネル出力電力ポートとが含まれ、
前記複数の第２チャネルポートには、アナログ第２チャネル低入力電流信号を受けるための第２チャネル低入力電流ポートと、アナログ第２チャネル高入力電流信号を受けるための第２チャネル高入力電流ポートと、アナログ第２チャネル低出力電流信号を受けるための第２チャネル低出力電流ポートと、アナログ第２チャネル高出力電流信号を受けるための第２チャネル高出力電流ポートと、第２チャネル出力電力信号を受けるための第２チャネル出力電力ポートとが含まれ、
前記複数の第３チャネルポートには、アナログ第３チャネル入力電流信号を受けるための第３チャネル入力電流ポートと、アナログ第３チャネル出力電流信号を受けるための第３チャネル出力電流ポートと、第３チャネル出力電力信号を受けるための第３チャネル出力電力ポートとが含まれる、請求項４に記載のＤＣ−ＤＣコンバータ。
【請求項６】
前記プロセッサモジュールは、前記複数のデジタル電力および電流信号を受け、第１チャネル選択信号、第２チャネル選択信号、第３チャネル選択信号、およびＰＷＭ周波数信号のうち少なくとも１つを出力するためのものである、請求項５に記載のＤＣ−ＤＣ電力コンバータ。
【請求項７】
前記プロセッサモジュールと通信状態にあり、前記プロセッサモジュールを予め定められた周波数で動作させるための水晶発振器と、
前記プロセッサモジュールと通信状態にあり、前記ＰＷＭ周波数信号に応答するためのおよび前記燃料電池の電力と実質的に等しい電力レベルを有するＰＷＭ電力信号を出力するためのパルス幅変調（ＰＷＭ）モジュールと、
前記ＰＷＭモジュールと通信状態にあり、前記ＰＷＭ電力信号にフィルタをかけるためのおよび第１チャネルフィルタＰＷＭ電力信号を出力するための第１チャネル電界効果トランジスタ（ＦＥＴ）と、
前記ＰＷＭモジュールと通信状態にあり、前記ＰＷＭ電力信号にフィルタをかけるためのおよび第２チャネルフィルタＰＷＭ電力信号を出力するための第２チャネルＦＥＴと、
前記ＰＷＭモジュールと通信状態にあり、前記ＰＷＭ電力信号にフィルタをかけるためのおよび第３チャネルフィルタＰＷＭ電力信号を出力するための第３チャネルＦＥＴと、
前記第１チャネルＦＥＴと通信状態にあり、前記第１チャネルフィルタＰＷＭ電力信号を受けるためのおよび前記第１チャネルフィルタＰＷＭ電力信号の電力レベルを上昇させて、０Ｗから３０００Ｗまでの電力レベルを有する第１チャネル出力電力信号を出力するための第１ブースト電力回路と、
前記第１ブースト電力回路および前記第１チャネルＦＥＴと通信状態にあり、前記第１チャネルフィルタＰＷＭ電力信号を受けるためのおよび前記第１チャネルフィルタＰＷＭ電力信号の電力レベルを低下させて、０Ｗから３０００Ｗまでの電力レベルを有する第１チャネル出力電力信号を出力するためのバック電力回路とを備え、
前記プロセッサモジュールは、前記第１ブースト電力回路および前記バック電力回路と通信状態にあり、前記第１ブースト電力回路および前記バック電力回路のうち１つによって出力された電力を示す前記第１チャネル出力電力信号を受けるためのものであり、さらに
前記ＰＷＭモジュールと通信状態にあり、前記第２チャネルフィルタＰＷＭ電力信号を受けるためのおよび前記第２チャネルフィルタＰＷＭ電力信号の電力レベルを上昇させて、０Ｗから５０００Ｗまでの電力レベルを有する前記第２チャネル出力電力信号を出力するための第２ブースト電力回路を備え、
前記プロセッサモジュールは、前記第２ブースト電力回路と通信状態にあり、前記第２ブースト電力回路によって出力された電力を示す前記第２チャネル出力電力信号を受けるためのものであり、さらに
前記ＰＷＭモジュールと通信状態にあり、前記第３チャネルフィルタＰＷＭ電力信号を受けるためのおよび前記第３チャネルフィルタＰＷＭ電力信号の電力レベルを上昇させて、０Ｗから４００Ｗまでの電力レベルを有する前記第３チャネル出力電力信号を出力するための第３ブースト電力回路を備え、
前記プロセッサモジュールは、前記第３ブースト電力回路と通信状態にあり、前記第３ブースト電力回路によって出力された電力を示す前記第３チャネル出力電力信号を受けるためのものであり、さらに
前記プロセッサモジュールおよび前記第１チャネルＦＥＴと通信状態にあり、前記プロセッサモジュールによって出力された前記第１チャネル選択信号に基づいて前記第１チャネルＦＥＴを動作可能にするための第１チャネルトランジスタと、
前記プロセッサモジュールおよび前記第１ブースト電力回路と通信状態にあり、前記プロセッサモジュールによって出力されたブースト信号を受けて、前記第１チャネルＦＥＴが動作可能にされると前記第１ブースト電力回路を動作可能にするためのブーストトランジスタと、
前記プロセッサモジュールおよび前記バック電力回路と通信状態にあり、前記プロセッサモジュールによって出力されたバック信号を受けて、前記第１チャネルＦＥＴが動作可能にされると前記バック電力回路を動作可能にするためのバックトランジスタと、
前記プロセッサモジュールおよび前記第２チャネルＦＥＴと通信状態にあり、前記プロセッサモジュールによって出力された前記第２チャネル選択信号に基づいて前記第２チャネルＦＥＴを動作可能にするための第２チャネルトランジスタと、
前記プロセッサモジュールおよび前記第３チャネルＦＥＴと通信状態にあり、前記プロセッサモジュールによって出力された前記第３チャネル選択信号に基づいて前記第３ブースト電力回路を動作可能にするための第３チャネルトランジスタと、
前記バック電力回路および前記第１チャネル高入力電流ポートと通信状態にあり、前記燃料電池から出力された高レベル電流を検知するためのおよび前記アナログ第１チャネル高入力電流信号を前記Ａ−Ｄコンバータに出力するための第１チャネル高入力電流センサと、
前記バック電力回路および前記第１チャネル低入力電流ポートと通信状態にあり、前記燃料電池から出力された低レベル電流を検知するためのおよびアナログ第１チャネル低範囲入力電流信号を前記Ａ−Ｄコンバータに出力するための第１チャネル低入力電流センサと、
前記第１ブースト電力回路および前記第１チャネル高出力電流ポートと通信状態にあり、前記第１ブースト電力回路によって出力された高レベル電流を検知するためのおよび前記アナログ第１チャネル高出力電流信号を前記Ａ−Ｄコンバータに出力するための第１チャネル高出力電流センサと、
前記第１ブースト電力回路および前記第１チャネル低出力電流ポートと通信状態にあり、前記第１ブースト電力回路によって出力された低レベル電流を検知するためのおよび前記アナログ第１チャネル低出力電流信号を前記Ａ−Ｄコンバータに出力するための第１チャネル低出力電流センサと、
前記第２ブースト電力回路および前記第２チャネル高入力電流ポートと通信状態にあり、前記燃料電池から出力された高レベル電流を検知するためのおよび前記アナログ第２チャネル高入力電流信号を前記Ａ−Ｄコンバータに出力するための第２チャネル高入力電流センサと、
前記第２ブースト電力回路および前記第２チャネル低入力電流ポートと通信状態にあり、前記燃料電池から出力された低レベル電流を検知するためおよびアナログ第２チャネル低範囲入力電流信号をＡ−Ｄコンバータに出力するための第２チャネル低入力電流センサと、
前記第２ブースト電力回路および前記第２チャネル高出力電流ポートと通信状態にあり、前記第２ブースト電力回路によって出力された高レベル電流を検知するためのおよび前記アナログ第２チャネル高出力電流信号を前記Ａ−Ｄコンバータに出力するための第２チャネル高出力電流センサと、
前記第２ブースト電力回路および前記第２チャネル低出力電流ポートと通信状態にあり、前記第２ブースト電力回路によって出力された低レベル電流を検知するためのおよび前記アナログ第２チャネル低出力電流信号を前記Ａ−Ｄコンバータに出力するための第２チャネル低出力電流センサと、
前記第３ブースト電力回路および前記第３チャネル入力電流ポートと通信状態にあり、前記燃料電池によって出力された電流を検知するためのおよび前記アナログ第３チャネル入力電流信号を前記Ａ−Ｄコンバータに出力するための第３チャネル入力電流センサと、
前記第３ブースト電力回路および前記第３チャネル出力電流ポートと通信状態にあり、前記第３ブースト電力回路によって出力された電流を検知するためのおよび前記アナログ第３チャネル出力電流信号をＡ−Ｄコンバータに出力するための第３チャネル出力電流センサと、
前記プロセッサモジュールと通信状態にあり、予め定められた燃料電池最大入力電力信号と、予め定められた燃料電池最小入力電圧信号と、予め定められた燃料電池最大入力電圧信号と、予め定められた第１、第２、および第３チャネル最小出力電流信号と、予め定められた第１、第２、および第３チャネル最大出力電流信号と、予め定められた第１、第２、および第３チャネル出力電圧信号と、予め定められた第１、第２、および第３チャネル出力電力信号と、電力ランプ速度信号と、第１のリモート設置された入力装置からの比信号と、のうち少なくとも１つを受けるための、および前記燃料電池信号と前記予め定められた信号と前記電力ランプ速度信号と前記比信号とを前記プロセッサモジュールに供給するためのシリアル通信モジュールと、
前記プロセッサモジュールと通信状態にあり、前記予め定められた燃料電池最大入力電力信号と、前記予め定められた燃料電池最小入力電圧信号と、前記予め定められた燃料電池最大入力電圧信号と、前記予め定められた第１、第２、および第３チャネル最小出力電流信号と、前記予め定められた第１、第２、および第３チャネル最大出力電流信号と、前記予め定められた第１、第２、および第３チャネル出力電圧信号と、前記予め定められた第１、第２、および第３チャネル出力電力信号と、前記電力ランプ速度信号と、第２のリ
モート設置された入力装置からの比信号と、のうち少なくとも１つを受けるための、および前記燃料電池信号と前記予め定められた信号と前記電力ランプ速度信号と前記比信号とを前記プロセッサモジュールに供給するための放送通信モジュールと、
前記プロセッサモジュールと通信状態にあり、前記予め定められた燃料電池最大入力電力信号と、前記予め定められた燃料電池最小入力電圧信号と、前記予め定められた燃料電池最大入力電圧信号と、前記予め定められた第１、第２、および第３チャネル最小出力電流信号と、前記予め定められた第１、第２、および第３チャネル最大出力電流信号と、前記予め定められた第１、第２、および第３チャネル出力電圧信号と、前記予め定められた第１、第２、および第３チャネル出力電力信号と、前記電力ランプ速度信号と、前記第２のリモート設置された入力装置からの前記比信号と、を選択し、供給するための、および前記燃料電池信号と前記予め定められた信号と前記電力ランプ速度信号と前記比信号とを前記プロセッサモジュールに供給するための液晶ディスプレイ（ＬＣＤ）インターフェイスを含むＬＣＤモジュールとを備え、
前記ＬＣＤモジュールは、前記ＬＣＤインターフェイスと通信状態にあり前記ＬＣＤインターフェイスを用いて選択された前記燃料電池信号と、前記予め定められた信号と、前記電力ランプ速度信号とのうち少なくとも１つを表示するためのＬＣＤを含み、さらに
前記燃料電池最大入力電力信号と関連付けられた予め定められた燃料電池最大入力電力値と、前記燃料電池最小入力電圧信号と関連付けられた燃料電池最小入力電圧値と、前記燃料電池最大入力電圧信号と関連付けられた燃料電池最大入力電圧値と、前記予め定められた第１、第２、および第３チャネル最小出力電流信号とそれぞれ関連付けられた予め定められた第１、第２、および第３チャネル最小出力電流値と、前記予め定められた第１、第２、および第３チャネル最大出力電流信号とそれぞれ関連付けられた予め定められた第１、第２、および第３チャネル最大出力電流値と、前記予め定められた第１、第２、および第３チャネル出力電圧信号とそれぞれ関連付けられた予め定められた第１、第２、および第３チャネル出力電圧値と、前記第１、第２、および第３チャネル出力電力信号とそれぞれ関連付けられた予め定められた第１、第２、および第３チャネル出力電力値と、前記電力ランプ速度信号と関連付けられた予め定められた電力ランプ速度値と、前記比信号と関連付けられた予め定められた比値とを格納するためのメモリモジュールを備え、
前記プロセッサモジュールは、前記メモリモジュールと通信状態にあり、格納された前記予め定められた値のうち少なくとも１つを前記複数のデジタル電力および電流信号のうち少なくとも１つと比較するための、および前記第１チャネルトランジスタと、前記ブーストトランジスタと、前記バックトランジスタと、前記第２チャネルトランジスタと、前記第３チャネルトランジスタとのうち少なくとも１つを開始させて、前記格納された予め定められた値のうち少なくとも１つに従って、前記第１チャネル出力電力と、前記第２チャネル出力電力と、前記第３チャネル出力電力と、前記第１チャネル出力電圧と、前記第２チャネル出力電圧と、前記第３チャネル出力電圧と、前記第１チャネル出力電流と、前記第２チャネル出力電流と、前記第３チャネル出力電流とのうち少なくとも１つを出力するためのものである、請求項６に記載のＤＣ−ＤＣ電力コンバータ。
【請求項８】
直流−直流（ＤＣ−ＤＣ）電力コンバータであって、
複数のアナログ電力信号および電流信号を複数のデジタル電力信号および電流信号に変換するための、複数の第１チャネルポートと、複数の第２チャネルポートと、複数の第３チャネルポートと、ＦＥＴ温度信号を受けるためのＦＥＴ温度ポートと、周囲温度信号を受けるための周囲温度ポートと、燃料電池から燃料電池入力電圧を受けるための燃料電池電圧ポートとを含むアナログ−デジタル（Ａ−Ｄ）コンバータを備え、
前記複数の第１チャネルポートには、アナログ第１チャネル低入力電流信号を受けるための第１チャネル低入力電流ポートと、アナログ第１チャネル高入力電流信号を受けるための第１チャネル高入力電流ポートと、アナログ第１チャネル低出力電流信号を受けるための第１チャネル低出力電流ポートと、アナログ第１チャネル高出力電流信号を受けるための第１チャネル高出力電流ポートと、第１チャネル出力電力信号を受けるための第１チ
ャネル出力電力ポートとが含まれ、
前記複数の第２チャネルポートには、アナログ第２チャネル低入力電流信号を受けるための第２チャネル低入力電流ポートと、アナログ第２チャネル高入力電流信号を受けるための第２チャネル高入力電流ポートと、アナログ第２チャネル低出力電流信号を受けるための第２チャネル低出力電流ポートと、アナログ第２チャネル高出力電流信号を受けるための第２チャネル高出力電流ポートと、第２チャネル出力電力信号を受けるための第２チャネル出力電力ポートとが含まれ、
前記複数の第３チャネルポートには、アナログ第３チャネル入力電流信号を受けるための第３チャネル入力電流ポートと、アナログ第３チャネル出力電流信号を受けるための第３チャネル出力電流ポートと、第３チャネル出力電力信号を受けるための第３チャネル出力電力ポートとが含まれ、さらに
前記複数のデジタル電力および電流信号を受けるためのおよび第１チャネル選択信号と、第２チャネル選択信号と、第３チャネル選択信号と、ＰＷＭ周波数信号とのうち少なくとも１つを出力するためのプロセッサモジュールと、
前記プロセッサモジュールと通信状態にあり、前記プロセッサモジュールを予め定められた周波数で動作させるための水晶発振器と、
前記プロセッサモジュールと通信状態にあり、前記ＰＷＭ周波数信号に応答するためののおよび前記燃料電池の電力と実質的に等しい電力レベルを有するＰＷＭ電力信号を出力するためのパルス幅変調（ＰＷＭ）モジュールと、
前記ＰＷＭモジュールと通信状態にあり、前記ＰＷＭ電力信号にフィルタをかけるためのおよび第１チャネルフィルタＰＷＭ電力信号を出力するための第１チャネル電界効果トランジスタ（ＦＥＴ）と、
前記ＰＷＭモジュールと通信状態にあり、前記ＰＷＭ電力信号にフィルタをかけるためのおよび第２チャネルフィルタＰＷＭ電力信号を出力するための第２チャネルＦＥＴと、
前記ＰＷＭモジュールと通信状態にあり、前記ＰＷＭ電力信号にフィルタをかけるためのおよび第３チャネルフィルタＰＷＭ電力信号を出力するための第３チャネルＦＥＴと、
前記第１チャネルＦＥＴと通信状態にあり、前記第１チャネルフィルタＰＷＭ電力信号を受けるためのおよび前記第１チャネルフィルタＰＷＭ電力信号の電力レベルを上昇させて、０Ｗから３０００Ｗまでの電力レベルを有する第１チャネル出力電力信号を出力するための第１ブースト電力回路と、
前記第１ブースト電力回路および前記第１チャネルＦＥＴと通信状態にあり、前記第１チャネルフィルタＰＷＭ電力信号を受けるためのおよび前記第１チャネルフィルタＰＷＭ電力信号の電力レベルを低下させて、０Ｗから３０００Ｗまでの電力レベルを有する第１チャネル出力電力信号を出力するためのバック電力回路とを備え、
前記プロセッサモジュールは、前記第１ブースト電力回路および前記バック電力回路と通信状態にあり、前記第１ブースト電力回路と前記バック電力回路とのうち１つによって出力された電力を示す前記第１チャネル出力電力信号を受けるためのものであり、さらに
前記ＰＷＭモジュールと通信状態にあり、前記第２チャネルフィルタＰＷＭ電力信号を受けるためのおよび前記第２チャネルフィルタＰＷＭ電力信号の電力レベルを上昇させて、０Ｗから５０００Ｗまでの電力レベルを有する前記第２チャネル出力電力信号を出力するための第２ブースト電力回路を備え、
前記プロセッサモジュールは、前記第２ブースト電力回路と通信状態にあり、前記第２ブースト電力回路によって出力された電力を示す前記第２チャネル出力電力信号を受けるためのものであり、さらに
前記ＰＷＭモジュールと通信状態にあり、前記第３チャネルフィルタＰＷＭ電力信号を受けるためのおよび前記第３チャネルフィルタＰＷＭ電力信号の電力レベルを上昇させて、０Ｗから４００Ｗまでの電力レベルを有する前記第３チャネル出力電力信号を出力するための第３ブースト電力回路を備え、
前記プロセッサモジュールは、前記第３ブースト電力回路と通信状態にあり、前記第３ブースト電力回路によって出力された電力を示す前記第３チャネル出力電力信号を受ける
ためのものであり、さらに
前記プロセッサモジュールおよび前記第１チャネルＦＥＴと通信状態にあり、前記プロセッサモジュールによって出力された前記第１チャネル選択信号に基づいて前記第１チャネルＦＥＴを動作可能にするための第１チャネルトランジスタと、
前記プロセッサモジュールおよび前記第１ブースト電力回路と通信状態にあり、前記プロセッサモジュールによって出力されたブースト信号を受けて、前記第１チャネルＦＥＴが動作可能にされると前記第１ブースト電力回路を動作可能にするためのブーストトランジスタと、
前記プロセッサモジュールおよび前記バック電力回路と通信状態にあり、前記プロセッサモジュールによって出力されたバック信号を受けて、前記第１チャネルＦＥＴが動作可能にされると前記バック電力回路を動作可能にするためのバックトランジスタと、
前記プロセッサモジュールおよび前記第２チャネルＦＥＴと通信状態にあり、前記プロセッサモジュールによって出力された前記第２チャネル選択信号に基づいて前記第２チャネルＦＥＴを動作可能にするための第２チャネルトランジスタと、
前記プロセッサモジュールおよび前記第３チャネルＦＥＴと通信状態にあり、前記プロセッサモジュールによって出力された前記第３チャネル選択信号に基づいて前記第３ブースト電力回路を動作可能にするための第３チャネルトランジスタと、
前記バック電力回路および前記第１チャネル高入力電流ポートと通信状態にあり、前記燃料電池から出力された高レベル電流を検知するためのおよび前記アナログ第１チャネル高入力電流信号を前記Ａ−Ｄコンバータに出力するための第１チャネル高入力電流センサと、
前記バック電力回路および前記第１チャネル低入力電流ポートと通信状態にあり、前記燃料電池から出力された低レベル電流を検知するためのおよびアナログ第１チャネル低範囲入力電流信号を前記Ａ−Ｄコンバータに出力するための第１チャネル低入力電流センサと、
前記第１ブースト電力回路および前記第１チャネル高出力電流ポートと通信状態にあり、前記第１ブースト電力回路によって出力された高レベル電流を検知するためのおよび前記アナログ第１チャネル高出力電流信号を前記Ａ−Ｄコンバータに出力するための第１チャネル高出力電流センサと、
前記第１ブースト電力回路および前記第１チャネル低出力電流ポートと通信状態にあり、前記第１ブースト電力回路によって出力された低レベル電流を検知するためとおよび前記アナログ第１チャネル低出力電流信号を前記Ａ−Ｄコンバータに出力するための第１チャネル低出力電流センサと、
前記第２ブースト電力回路および前記第２チャネル高入力電流ポートと通信状態にあり、前記燃料電池から出力された高レベル電流を検知するためのおよび前記アナログ第２チャネル高入力電流信号を前記Ａ−Ｄコンバータに出力するための第２チャネル高入力電流センサと、
前記第２ブースト電力回路および前記第２チャネル低入力電流ポートと通信状態にあり、前記燃料電池から出力された低レベル電流を検知するためのおよびアナログ第２チャネル低範囲入力電流信号を前記Ａ−Ｄコンバータに出力するための第２チャネル低入力電流センサと、
前記第２ブースト電力回路および前記第２チャネル高出力電流ポートと通信状態にあり、前記第２ブースト電力回路によって出力された高レベル電流を検知するためのおよび前記アナログ第２チャネル高出力電流信号を前記Ａ−Ｄコンバータに出力するための第２チャネル高出力電流センサと、
前記第２ブースト電力回路および前記第２チャネル低出力電流ポートと通信状態にあり、前記第２ブースト電力回路によって出力された低レベル電流を検知するためのおよび前記アナログ第２チャネル低出力電流信号を前記Ａ−Ｄコンバータに出力するための第２チャネル低出力電流センサと、
前記第３ブースト電力回路および前記第３チャネル入力電流ポートと通信状態にあり、
前記燃料電池によって出力された電流を検知するためのおよび前記アナログ第３チャネル入力電流信号を前記Ａ−Ｄコンバータに出力するための第３チャネル入力電流センサと、
前記第３ブースト電力回路および前記第３チャネル出力電流ポートと通信状態にあり、前記第３ブースト電力回路によって出力された電流を検知するためのおよび前記アナログ第３チャネル出力電流信号を前記Ａ−Ｄコンバータに出力するための第３チャネル出力電流センサと、
前記プロセッサモジュールと通信状態にあり、予め定められた燃料電池最大入力電力信号と、予め定められた燃料電池最小入力電圧信号と、予め定められた燃料電池最大入力電圧信号と、予め定められた第１、第２、および第３チャネル最小出力電流信号と、予め定められた第１、第２、および第３チャネル最大出力電流信号と、予め定められた第１、第２、および第３チャネル出力電圧信号と、予め定められた第１、第２、および第３チャネル出力電力信号と、電力ランプ速度信号と、第１のリモート設置された入力装置からの比信号と、のうち少なくとも１つを受けるための、および前記燃料電池信号と前記予め定められた信号と前記電力ランプ速度信号と前記比信号とを前記プロセッサモジュールに供給するためのシリアル通信モジュールと、
前記プロセッサモジュールと通信状態にあり、前記予め定められた燃料電池最大入力電力信号と、前記予め定められた燃料電池最小入力電圧信号と、前記予め定められた燃料電池最大入力電圧信号と、前記予め定められた第１、第２、および第３チャネル最小出力電流信号と、前記予め定められた第１、第２、および第３チャネル最大出力電流信号と、前記予め定められた第１、第２、および第３チャネル出力電圧信号と、前記予め定められた第１、第２、および第３チャネル出力電力信号と、前記電力ランプ速度信号と、第２のリモート設置された入力装置からの比信号と、のうち少なくとも１つを受けるための、および前記燃料電池信号と前記予め定められた信号と前記電力ランプ速度信号と前記比信号とを前記プロセッサモジュールに供給するための放送通信モジュールと、
前記プロセッサモジュールと通信状態にあり、前記予め定められた燃料電池最大入力電力信号と、前記予め定められた燃料電池最小入力電圧信号と、前記予め定められた燃料電池最大入力電圧信号と、前記予め定められた第１、第２、および第３チャネル最小出力電流信号と、前記予め定められた第１、第２、および第３チャネル最大出力電流信号と、前記予め定められた第１、第２、および第３チャネル出力電圧信号と、前記予め定められた第１、第２、および第３チャネル出力電力信号と、前記電力ランプ速度信号と、前記第２のリモート設置された入力装置からの前記比信号とを選択し、供給するための、および前記燃料電池信号、前記予め定められた信号、前記電力ランプ速度信号、および前記比信号を前記プロセッサモジュールに供給するための液晶ディスプレイ（ＬＣＤ）インターフェイスを含むＬＣＤモジュールとを備え、
前記ＬＣＤモジュールは、前記ＬＣＤインターフェイスと通信状態にあり前記ＬＣＤインターフェイスを用いて選択された前記燃料電池信号と、前記予め定められた信号と、前記電力ランプ速度信号とのうち少なくとも１つを表示するためのＬＣＤを含み、さらに
前記燃料電池最大入力電力信号と関連付けられた予め定められた燃料電池最大入力電力値と、前記燃料電池最小入力電圧信号と関連付けられた燃料電池最小入力電圧値と、前記燃料電池最大入力電圧信号と関連付けられた燃料電池最大入力電圧値と、前記予め定められた第１、第２、および第３チャネル最小出力電流信号とそれぞれ関連付けられた予め定められた第１、第２、および第３チャネル最小出力電流値と、前記予め定められた第１、第２、および第３チャネル最大出力電流信号とそれぞれ関連付けられた予め定められた第１、第２、および第３チャネル最大出力電流値と、前記予め定められた第１、第２、および第３チャネル出力電圧信号とそれぞれ関連付けられた予め定められた第１、第２、および第３チャネル出力電圧値と、前記第１、第２、および第３チャネル出力電力信号とそれぞれ関連付けられた予め定められた第１、第２、および第３チャネル出力電力値と、前記電力ランプ速度信号と関連付けられた予め定められた電力ランプ速度値と、前記比信号と関連付けられた予め定められた比値とを格納するためのメモリモジュールを備え、
前記プロセッサモジュールは、前記メモリモジュールと通信状態にあり、格納された前
記予め定められ値のうち少なくとも１つを前記複数のデジタル電力および電流信号と比較するための、および前記第１チャネルトランジスタと、前記ブーストトランジスタと、前記バックトランジスタと、前記第２チャネルトランジスタと、前記第３チャネルトランジスタとのうち少なくとも１つを開始させて、前記格納された予め定められた値のうち少なくとも１つに従って、前記第１チャネル出力電力と、前記第２チャネル出力電力と、前記第３チャネル出力電力と、前記第１チャネル出力電圧と、前記第２チャネル出力電圧と、前記第３チャネル出力電圧と、前記第１チャネル出力電流と、前記第２チャネル出力電流と、前記第３チャネル出力電流とのうち少なくとも１つを出力するためのものである、ＤＣ−ＤＣ電力コンバータ。